(57)【特許請求の範囲】
【請求項１】
筐体の移動に応じて表示部に表示される画像をスクロールさせる手段と、コンテンツとコンテンツの識別情報と前記表示部に表示される１つの画像を構成する複数の領域に各々割り当てられるコンテンツ関連画像とを対応付けて記憶する手段と、前記表示部に表示される複数の領域のうち、前記スクロールにより前記表示部上での面積が最大とされた領域を選択可能に強調表示するよう制御する制御手段と、前記表示部を介して指定したコンテンツに対応した前記コンテンツ関連画像を、前記強調表示され選択された領域に割り当てる手段と、前記指定されたコンテンツとこのコンテンツに対応する前記識別情報とを送信する手段とを有する画像表示装置と、
前記送信されたコンテンツと識別情報とを、所定のアドレスと対応付けて記憶する手段を有するコンテンツ管理装置と
を具備することを特徴とするコンテンツ管理システム。
【請求項２】
請求項１に記載のコンテンツ管理システムであって、
前記画像表示装置は、前記割り当てられた前記コンテンツ関連画像のうち、前記スクロールにより前記表示部上での面積が最大とされたコンテンツ関連画像を選択可能に強調表示し、当該強調表示され選択されたコンテンツ関連画像に対応したコンテンツの識別情報を送信しこの識別情報に応じたコンテンツを受信する手段を有し、
前記コンテンツ管理装置は、前記識別情報の送信に対応した前記アドレス上にあるコンテンツを前記コンテンツ記憶手段から抽出してこれを画像表示装置に送信する手段を有する
ことを特徴とするコンテンツ管理システム。
【請求項３】
請求項１に記載のコンテンツ管理システムであって、
前記複数の領域に各々割り当てられるコンテンツ関連画像で構成される１つの画像は、所定のカテゴリーを形成するものであり、
前記画像表示装置は、この所定のカテゴリーごとに前記コンテンツと識別情報とを前記コンテンツ管理装置に送信する手段を有し、
前記コンテンツ管理装置は、前記所定のカテゴリーごとに、前記送信された識別情報に対応したコンテンツを所定のアドレスと対応付けて前記コンテンツ記憶手段に記憶する手段を有する
ことを特徴とするコンテンツ管理システム。
【請求項４】
請求項３に記載のコンテンツ管理システムであって、
前記コンテンツ管理装置は、前記所定のカテゴリーごとに、前記識別情報の送信に対応した前記アドレス上にあるコンテンツを前記コンテンツ記憶手段から抽出してこれを画像表示装置に送信する手段
をさらに具備することを特徴とするコンテンツ管理システム。
【請求項５】
請求項３に記載のコンテンツ管理システムであって、
前記画像表示装置は、前記コンテンツの保管料を前記表示部に表示する手段
をさらに具備することを特徴とするコンテンツ管理システム。
【請求項６】
請求項５に記載のコンテンツ管理システムであって、
前記コンテンツの保管料は、前記所定のカテゴリーごとに表示される
ことを特徴とするコンテンツ管理システム。
【請求項７】
請求項５に記載のコンテンツ管理システムであって、
前記コンテンツ管理装置は、前記コンテンツの情報量に応じてそのコンテンツの保管料を課金する手段
をさらに具備することを特徴とするコンテンツ管理システム。
【請求項８】
請求項５に記載のコンテンツ管理システムであって、
前記コンテンツ管理装置は、前記コンテンツの保管期間に応じてそのコンテンツの保管料を課金する手段
をさらに具備することを特徴とするコンテンツ管理システム。
【請求項９】
請求項５に記載のコンテンツ管理システムであって、
前記コンテンツ管理装置は、前記コンテンツの情報量及び保管期間を算出する手段と、この保管期間内のコンテンツの情報量の変動に応じてそのコンテンツの保管料を課金する手段と
を具備することを特徴とするコンテンツ管理システム。
【請求項１０】
筐体の移動に応じて表示部に表示される画像をスクロールさせる手段と、
コンテンツとコンテンツの識別情報と前記表示部に表示される１つの画像を構成する複数の領域に各々割り当てられるコンテンツ関連画像とを対応付けて記憶する手段と、
前記表示部に表示される複数の領域のうち、前記スクロールにより前記表示部上での面積が最大とされた領域を選択可能に強調表示するよう制御する制御手段と、
前記表示部を介して指定したコンテンツに対応した前記コンテンツ関連画像を、前記強調表示され選択された領域に割り当てる手段と、
前記指定されたコンテンツとこのコンテンツに対応する前記識別情報とを送信する手段と
を具備することを特徴とする画像表示装置。
【請求項１１】
請求項１０に記載の画像表示装置であって、
前記割り当てられた前記コンテンツ関連画像のうち、前記スクロールにより前記表示部上での面積が最大とされたコンテンツ関連画像を選択可能に強調表示し、当該強調表示され選択されたコンテンツ関連画像に対応したコンテンツの識別情報を送信しこの識別情報に応じたコンテンツを受信する手段
をさらに具備することを特徴とする画像表示装置。
【請求項１２】
請求項１０に記載の画像表示装置であって、
前記複数の領域に各々割り当てられるコンテンツ関連画像で構成される１つの画像は、所定のカテゴリーを形成するものであり、
この所定のカテゴリーごとに前記コンテンツと識別情報とを送信する手段
をさらに具備することを特徴とする画像表示装置。
【請求項１３】
請求項１２に記載の画像表示装置であって、
前記コンテンツの保管料を前記表示部に表示する手段
をさらに具備することを特徴とする画像表示装置。
【請求項１４】
請求項１３に記載の画像表示装置であって、
前記コンテンツの保管料は、前記所定のカテゴリーごとに表示される
ことを特徴とする画像表示装置。
【請求項１５】
筐体の移動に応じて表示部に表示される画像をスクロールさせる手段と、コンテンツとコンテンツの識別情報と前記表示部に表示される１つの画像を構成する複数の領域に各々割り当てられるコンテンツ関連画像とを対応付けて記憶する手段と、前記表示部に表示される複数の領域のうち、前記スクロールにより前記表示部上での面積が最大とされた領域を選択可能に強調表示するよう制御する手段と、前記表示部を介して指定したコンテンツに対応した前記コンテンツ関連画像を、前記強調表示され選択された領域に割り当てる手段と、前記指定されたコンテンツとこのコンテンツに対応する前記識別情報とを送信する手段とを有する画像表示装置により送信された前記コンテンツと識別情報とを、所定のアドレスと対応付けて記憶するコンテンツ記憶手段と、
前記画像表示装置が、前記割り当てられた前記コンテンツ関連画像のうち、前記スクロールにより前記表示部上での面積が最大とされたコンテンツ関連画像を選択可能に強調表示し、当該強調表示され選択されたコンテンツ関連画像に対応したコンテンツの識別情報を送信した場合、この識別情報の送信に対応した前記アドレス上にあるコンテンツを前記コンテンツ記憶手段から抽出してこれを画像表示装置に送信する手段と
を具備することを特徴とするコンテンツ管理装置。
【請求項１６】
請求項１５に記載のコンテンツ管理装置であって、
前記複数の領域に各々割り当てられるコンテンツ関連画像で構成される１つの画像は、所定のカテゴリーを形成するものであり、
前記画像表示装置が所定のカテゴリーごとに前記コンテンツと識別情報とを送信した場合、この所定のカテゴリーごとに、前記送信された識別情報に対応したコンテンツを所定のアドレスと対応付けて前記コンテンツ記憶手段に記憶する手段
をさらに具備することを特徴とするコンテンツ管理装置。
【請求項１７】
請求項１５に記載のコンテンツ管理装置であって、
前記コンテンツの情報量に応じてそのコンテンツの保管料を課金する手段
をさらに具備することを特徴とするコンテンツ管理装置。
【請求項１８】
請求項１５に記載のコンテンツ管理装置であって、
前記コンテンツの保管期間に応じてそのコンテンツの保管料を課金する手段
をさらに具備することを特徴とするコンテンツ管理装置。
【請求項１９】
請求項１５に記載のコンテンツ管理装置であって、
前記コンテンツの情報量及び保管期間を算出する手段と、
この保管期間内のコンテンツの情報量の変動に応じてそのコンテンツの保管料を課金する手段と
をさらに具備することを特徴とするコンテンツ管理装置。
【請求項２０】
筐体の移動に応じて表示部に表示される画像をスクロールさせる手段と、コンテンツとコンテンツの識別情報と前記表示部に表示される１つの画像を構成する複数の領域に各々割り当てられるコンテンツ関連画像とを対応付けて記憶する手段とを有する画像表示装置の、前記表示部に表示される複数の領域のうち、前記スクロールにより前記表示部上での面積が最大とされた領域を選択可能に強調表示するステップと、
前記表示部を介して指定したコンテンツに対応した前記コンテンツ関連画像を、前記強調表示され選択された領域に割り当てるステップと、
前記指定されたコンテンツとこのコンテンツに対応する前記識別情報とを、コンテンツ管理装置に対し送信するステップと、
前記コンテンツ管理装置が、前記送信されたコンテンツと識別情報とを、所定のアドレスと対応付けて記憶するステップと
を具備することを特徴とするコンテンツ管理方法。
【請求項２１】
請求項２０に記載のコンテンツ管理方法であって、
前記画像表示装置が、前記割り当てられた前記コンテンツ関連画像のうち、前記スクロールにより前記表示部上での面積が最大とされたコンテンツ関連画像を選択可能に強調表示し、当該強調表示され選択されたコンテンツ関連画像に対応したコンテンツの識別情報を前記コンテンツ管理装置に対し送信するステップと、
前記コンテンツ管理装置が、前記識別情報の送信に対応した前記アドレス上にあるコンテンツを前記コンテンツ記憶手段から抽出してこれを画像表示装置に送信するステップと
をさらに具備することを特徴とするコンテンツ管理方法。
【請求項２２】
請求項２０に記載のコンテンツ管理方法であって、
前記指定されたコンテンツとこのコンテンツに対応する前記識別情報とを、コンテンツ管理装置に対し送信する前に、前記コンテンツの保管料を前記表示部に表示するステップ
をさらに具備することを特徴とするコンテンツ管理方法。
【発明の詳細な説明】
【０００１】
【発明の属する技術分野】
本発明は、コンテンツ管理システム、画像表示装置、コンテンツ管理装置及びコンテンツ管理方法に関する。
【０００２】
【従来の技術】
携帯端末や携帯電話等の携帯可能な装置の小さな表示部には、情報量の多い画像を一度に表示することができない場合がある。このため、例えば表示部に一定範囲の画像を表示し、ボタンの操作に応じて表示部に表示させる画像を移動させる、いわゆるスクロールが行われている。しかしながら、携帯可能な装置では特に操作用のボタンが小さいこともあり、スクロールのための操作が煩わしいことが多い。
【０００３】
特開２００２−７０２７号公報には、装置を構成する筐体の移動に応じて表示部に表示される画像をスクロールする技術が開示されている。例えば、このような装置を手に持つユーザがこの装置を右方向に移動させると、画像も同様に右方向にスクロールする、というものである。かかる技術によれば、上記のようなボタンによるスクロール操作の煩わしさが解消され、しかも人間の直感に合致した表示を行うことが可能となる。
【０００４】
【発明が解決しようとする課題】
かかる技術により、ユーザは情報量の多いコンテンツを快適な操作性のもとで見ることが可能となるが、その一方で、例えばこのような装置の表示部に表示される一つ一つの画像は情報量が大きい（重い）ため、これらの画像を記憶しておこうとすると逆に操作性が悪くなるおそれがある。
【０００５】
また、ユーザがこの装置を用いて複数のコンテンツを管理する場合、操作が煩わしいものとなることが予想される。例えば表示部に表示される１つの画像が比較的大きくなることから、その画像が複数の領域に分割され、各領域に対応してコンテンツを割り当てて保管しておく場合があると考えられるからである。
【０００６】
以上のような事情に鑑み、本発明は、情報量の大きいコンテンツを効率良く、簡単な操作で保管し管理することができるコンテンツ管理システム、画像表示装置、コンテンツ管理装置及びコンテンツ管理方法を提供することを目的とする。
【０００７】
【課題を解決するための手段】
上記目的を達成するため、本発明のコンテンツ管理システムは、筐体の移動に応じて表示部に表示される画像をスクロールさせる手段と、コンテンツとコンテンツの識別情報と前記表示部に表示される１つの画像を構成する複数の領域に各々割り当てられるコンテンツ関連画像とを対応付けて記憶する手段と、前記表示部に表示される複数の領域のうち、前記スクロールにより前記表示部上での面積が最大とされた領域を選択可能に強調表示するよう制御する制御手段と、前記表示部を介して指定したコンテンツに対応した前記コンテンツ関連画像を、前記強調表示され選択された領域に割り当てる手段と、前記指定されたコンテンツとこのコンテンツに対応する前記識別情報とを送信する手段とを有する画像表示装置と、前記送信されたコンテンツと識別情報とを、所定のアドレスと対応付けて記憶する手段を有するコンテンツ管理装置とを具備する。
【０００８】
本発明では、画面表示装置が、コンテンツとコンテンツの識別情報と表示部に表示される１つの画像を構成する複数の領域に各々割り当てられるコンテンツ関連画像とを対応付けて記憶することができ、この記憶情報に基づき、指定したコンテンツをコンテンツ管理装置に送信し保管することができる。ここで、コンテンツとは、例えば画面表示装置を所有するユーザが自作し又はダウンロード等により取得した画像、音楽、文書、その他の情報である。コンテンツの識別情報とは、例えばコンテンツごとのＩＤである。コンテンツ関連画像とは、表示部に表示される１つの画像を構成する複数の領域に各々割り当てられるものであって、例えば、その複数の領域のうち１つの領域の大きさが、この表示部の大きさ程度、またはそれ以下の大きさに表示され、コンテンツを識別できる程度に表された情報である。
【０００９】
例えば、ユーザが指定したコンテンツに対応するコンテンツ関連画像を表示部に表示される複数の領域に割り当てることで、このコンテンツとこれに対応する識別情報をコンテンツ管理装置に対し送信する。そして、これらを受信したコンテンツ管理装置は、送信されたコンテンツと識別情報とを、所定のアドレスと対応付けて記憶する。これにより、情報量の大きいコンテンツをコンテンツ管理装置に保管しておくことができ、画像表示装置の記憶しておく情報量を少なくすることができるので、操作性を悪化させることがなくなる。しかも表示部に表示される１つ画像である複数の領域ごとに、コンテンツを割り当てて保管しているので、操作が直感的で簡単になり、また保管状況が一目で把握できるようになる。
【００１０】
この場合、複数の領域を構成する１つの画像ごとにコンテンツと識別情報とをコンテンツ管理装置に送信するようにしてもよい。すなわち、複数の領域の全てにコンテンツ関連画像が割り当てられたときに、これに対応する複数のコンテンツと識別情報を送信するようにすれば、効率的に操作が行える。また、当該１つの画像で、例えば所定の１つのカテゴリーを形成させることで、コンテンツ管理装置への接続が１回で複数のコンテンツの保管が可能となり、コンテンツの保管がさらに効率的になり利便性が向上する。ここで、カテゴリーとは、例えば画像、音楽、文書、その他の情報である。画像はさらに静止画や動画といったカテゴリーにも区別できる。
【００１１】
また、本発明では、前記割り当てられた前記コンテンツ関連画像のうち、前記スクロールにより前記表示部上での面積が最大とされたコンテンツ関連画像を選択可能に強調表示し、当該強調表示され選択されたコンテンツ関連画像に対応したコンテンツの識別情報をコンテンツ管理装置に送信し、コンテンツ管理装置がこの識別情報の送信に対応したアドレス上にあるコンテンツをコンテンツ記憶手段から抽出してこれを画像表示装置に送信するようにすれば、ユーザは自由に自己のコンテンツを閲覧することができるようになる。この場合、ユーザが表示部を介して１つの画像を構成する複数の領域のうちの１つのコンテンツ関連画像を選択してコンテンツ管理装置からそのコンテンツを受信したときに、他の領域にあるコンテンツをも自動的に受信できるようにすれば、コンテンツ管理装置の接続が１回で複数のコンテンツの受信が可能となるため、効率的に保管したコンテンツを閲覧することができる。この場合も上記と同様に、例えば所定のカテゴリーごとにコンテンツを受信できるようにすることで、さらに画像表示装置の操作性及び利便性が向上する。また、コンテンツ管理装置から見てもコンテンツの管理が効率的となる。
【００１２】
本発明の一の形態によれば、前記画像表示装置は、前記コンテンツの保管料を前記表示部に表示する手段をさらに具備する。これにより、例えばユーザが表示部を介して保管料を把握できるようになる。また、コンテンツの保管料が、上記所定のカテゴリーごとに表示されるようにすれば、なおカテゴリーごとに保管料を把握でき、カテゴリー単位で保管料を支払えばよく実用性が増す。
【００１３】
また、コンテンツ管理装置が、前記コンテンツの情報量に応じてそのコンテンツの保管料を課金する手段、あるいは前記コンテンツの保管期間に応じてそのコンテンツの保管料を課金する手段をさらに具備するようにしてもよい。またあるいは、コンテンツの情報量及び保管期間を算出し、この保管期間内のコンテンツの情報量の変動に応じてそのコンテンツの保管料を課金するようにしてもよい。ユーザにとって保管料の支払いがよりリーズナブルなものとなる。
【００１４】
本発明の画像表示装置は、筐体の移動に応じて表示部に表示される画像をスクロールさせる手段と、コンテンツとコンテンツの識別情報と前記表示部に表示される１つの画像を構成する複数の領域に各々割り当てられるコンテンツ関連画像とを対応付けて記憶する手段と、前記表示部に表示される複数の領域のうち、前記スクロールにより前記表示部上での面積が最大とされた領域を選択可能に強調表示するよう制御する制御手段と、前記表示部を介して指定したコンテンツに対応した前記コンテンツ関連画像を、前記強調表示され選択された領域に割り当てる手段と、前記指定されたコンテンツとこのコンテンツに対応する前記識別情報とを送信する手段とを具備する。
【００１５】
本発明では、例えば、ユーザが指定したコンテンツに対応するコンテンツ関連画像を表示部に表示される複数の領域に割り当てることで、このコンテンツとこれに対応する識別情報を、例えばコンテンツを保管する装置に対し送信する。そして、これらを受信したコンテンツの管理装置は、送信されたコンテンツと識別情報とを、所定のアドレスと対応付けて記憶する。これにより、画像表示装置の記憶しておく情報量を少なくすることができるので、操作性を悪化させることがなくなる。しかも表示部に表示される１つ画像である複数の領域ごとに、コンテンツを割り当てて保管しているので、操作が直感的で簡単になり保管状況が一目で把握できるようになる。
【００１６】
本発明のコンテンツ管理装置は、筐体の移動に応じて表示部に表示される画像をスクロールさせる手段と、コンテンツとコンテンツの識別情報と前記表示部に表示される１つの画像を構成する複数の領域に各々割り当てられるコンテンツ関連画像とを対応付けて記憶する手段と、前記表示部に表示される複数の領域のうち、前記スクロールにより前記表示部上での面積が最大とされた領域を選択可能に強調表示するよう制御する手段と、前記表示部を介して指定したコンテンツに対応した前記コンテンツ関連画像を、前記強調表示され選択された領域に割り当てる手段と、前記指定されたコンテンツとこのコンテンツに対応する前記識別情報とを送信する手段とを有する画像表示装置により送信された前記コンテンツと識別情報とを、所定のアドレスと対応付けて記憶するコンテンツ記憶手段と、前記画像表示装置が、前記割り当てられた前記コンテンツ関連画像のうち、前記スクロールにより前記表示部上での面積が最大とされたコンテンツ関連画像を選択可能に強調表示し、当該強調表示され選択されたコンテンツ関連画像に対応したコンテンツの識別情報を送信した場合、この識別情報の送信に対応した前記アドレス上にあるコンテンツを前記コンテンツ記憶手段から抽出してこれを画像表示装置に送信する手段とを具備する。
【００１７】
本発明では、例えばユーザが指定したコンテンツに対応するコンテンツ関連画像を表示部に表示される複数の領域に割り当てることで、このコンテンツとこれに対応する識別情報が送信され、本発明のコンテンツ管理装置がこれらを受信した場合、送信されたコンテンツと識別情報とを、所定のアドレスと対応付けて記憶する。これにより、情報量の大きいコンテンツをコンテンツ管理装置に保管しておくことができ、画像表示装置の記憶しておく情報量を少なくすることができるので、操作性を悪化させることがなくなる。また、所定のカテゴリーごとにコンテンツを保管することにより、コンテンツ管理装置によるコンテンツの管理が効率的に行える。
【００１８】
本発明のコンテンツ管理方法は、筐体の移動に応じて表示部に表示される画像をスクロールさせる手段と、コンテンツとコンテンツの識別情報と前記表示部に表示される１つの画像を構成する複数の領域に各々割り当てられるコンテンツ関連画像とを対応付けて記憶する手段とを有する画像表示装置の、前記表示部に表示される複数の領域のうち、前記スクロールにより前記表示部上での面積が最大とされた領域を選択可能に強調表示するステップと、前記表示部を介して指定したコンテンツに対応した前記コンテンツ関連画像を、前記強調表示され選択された領域に割り当てるステップと、前記指定されたコンテンツとこのコンテンツに対応する前記識別情報とを、コンテンツ管理装置に対し送信するステップと、前記コンテンツ管理装置が、前記送信されたコンテンツと識別情報とを、所定のアドレスと対応付けて記憶するステップとを具備する。
【００１９】
本発明では、ユーザが指定したコンテンツに対応するコンテンツ関連画像を表示部に表示される複数の領域に割り当てることで、このコンテンツとこれに対応する識別情報をコンテンツ管理装置に対し送信する。そして、これらを受信したコンテンツ管理装置は、送信されたコンテンツと識別情報とを、所定のアドレスと対応付けて記憶する。これにより、情報量の大きいコンテンツをコンテンツ管理装置に保管しておくことができ、画像表示装置の記憶しておく情報量を少なくすることができるので、画像表示装置の操作性を悪化させることがなくなる。
【００２０】
【発明の実施の形態】
以下、本発明の実施の形態について図面を参照して詳細に説明する。
【００２１】
図１は本発明の一実施形態に係る画像表示装置の外観を概略的に示す斜視図である。
【００２２】
図１に示すように、この画像表示装置１は、例えばユーザが片手で持てるような大きさの筐体２を有する。筐体２の前面２ａには、カメラ３、マイク４、スピーカ５、表示部６及び操作領域７が設けられている。また、筐体２の下面２ｂには、例えばスティック状の記憶媒体８が着脱自在に装着される装着部９が設けられている。カメラ３は例えばＣＣＤカメラにより構成され、表示部６は例えばカラー液晶表示装置により構成される。操作領域７には、ＯＫボタン１０、Ｕｎｄｏボタン１１、カメラキャプチャーボタン１２及び数字キー１３等が設けられている。
【００２３】
図２はこの画像表示装置１のハードウェア構成を示すブロック図である。
【００２４】
図２に示すように、画像表示装置１は、メインバス１４にＣＰＵ１５、ＲＯＭ１６、Ｓ−ＲＡＭ（スタティックラム）１７、ＲＡＭ１８、記憶媒体用インタフェース１９、センサインタフェース２０の他、各種のインタフェース、例えばＴＴＹ（Ｔｅｌｅ  Ｔｙｐｅｗｒｉｔｅｒ）２１、イーサネット（登録商標）ボード（Ｅｔｈｅｒｎｅｔ（登録商標）  Ｂｏａｒｄ）２２、イメージプロセッシングユニット（Ｉｍａｇｅ  Ｐｒｏｃｅｓｓｉｎｇ  Ｕｎｉｔ）２３、Ｖｉｓｃａインタフェース（Ｖｉｓｃａ  Ｉｎｔｅｒｆａｃｅ）２４、ＶＧＡボード（ＶＧＡ  Ｂｏａｒｄ）２５、オーディオビデオインタフェース（Ａｕｄｉｏ&Ｖｉｄｅｏ  Ｉｎｔｅｒｆａｃｅ）２６を接続して構成される。
【００２５】
ＣＰＵ１５は、この画像表示装置１全体を統括的に制御するもので、ＲＯＭ１６にはその動作に必要なプログラムが記憶され、Ｓ−ＲＡＭ１７には必要なデータ、例えば画像表示装置１固有のＩＤが記憶され、ＲＡＭ１８は処理の際の作業スペースとして用いられる。
【００２６】
記憶媒体用インタフェース１９には、装着部９が接続され、装着部９に装着された記憶媒体８との間でデータの通信が行われるようになっている。
【００２７】
センサインタフェースには、位置検出センサ２７が接続されている。位置検出センサ２７としては、例えば加速度センサ及び／又は角速度センサを用いることができる。加速度センサは例えばユーザがこの画像表示装置１を手に持った状態で空間を移動させたとき、２軸方向あるいは３軸方向の加速度を検知する素子である。例えば加速度センサを２軸方向の加速度を検出するセンサとして用い、画像表示装置１に加わる加速度の縦方向成分及び横方向成分を検知し、それぞれの成分ごとに時間積分演算を行って速度成分、変位成分を算出するようになっている。この算出結果は後述する画像のスクロールに用いられる。
【００２８】
ＴＴＹ（Ｔｅｌｅ  Ｔｙｐｅｗｒｉｔｅｒ）２１は、上記の操作領域の各種のボタンと接続されている。
【００２９】
イーサネットボード（Ｅｔｈｅｒｎｅｔ  Ｂｏａｒｄ）２２は、イーサネットに接続可能とするものである。イーサネットを介して例えばサーバに接続され、このサーバを介してインターネットに接続されるようになっている。
【００３０】
イメージプロセッシングユニット（Ｉｍａｇｅ  Ｐｒｏｃｅｓｓｉｎｇ  Ｕｎｉｔ）２３にはカメラインタフェース（Ｃａｍｅｒａ  Ｉｎｔｅｒｆａｃｅ）２８が接続され、このカメラインタフェース２８には上記のＣＣＤカメラ３が接続されている。ＣＣＤカメラ３により接続された画像を画像表示装置１内に取り込むことが可能であり、これを表示部６に表示することも可能である。
【００３１】
Ｖｉｓｃａインタフェース（Ｖｉｓｃａ  Ｉｎｔｅｒｆａｃｅ）２４には外部のパーソナルコンピュータ等が接続され、このインタフェースを介して画像表示装置１の各種の制御を行うことが可能とされている。
【００３２】
ＶＧＡボード（ＶＧＡ  Ｂｏａｒｄ）２５には上記の表示部６としての液晶表示装置が接続されている。
【００３３】
オーディオビデオインタフェース（Ａｕｄｉｏ&Ｖｉｄｅｏ  Ｉｎｔｅｒｆａｃｅ）２６には、オーディオビデオ系の機器が接続されるようになっている。このインタフェース２６を介してオーディオビデオ系の機器からの信号を画像表示装置１内に取り込んだり、逆にオーディオ信号や画像信号をオーディオビデオ系の機器に出力することができる。
【００３４】
図３は、画像表示装置１を所有するユーザが、例えばディジタルカメラ等で撮影した画像を圧縮して表示部６に表示されるコンテンツ関連画像を示している。本実施形態では、例えば４つのコンテンツ関連画像Ａ１、Ａ２、Ｂ１、Ｂ２が複数の領域を構成し１つの画像２９として表示されている。つまり、１つの画像２９が４つの画像Ａ１、Ａ２、Ｂ１、Ｂ２に分割され、分割された各画像Ａ１、Ａ２、Ｂ１、Ｂ２がそれぞれユーザが撮影した画像等を圧縮した画像である。このようなコンテンツ関連画像は、いわゆるアイコンで表示されるようにしてもよい。
【００３５】
この画像表示装置１では、図３中点線で囲まれる領域３０が表示部６に表示される画面の範囲を示している。例えば、このような画像表示装置１を手に持つユーザがこの画像表示装置１を右方向に移動させると、位置検出センサ２７によりその移動が検出され、ＣＰＵ１５の制御により画面（領域３０）も同様に右方向にスクロールされる。このようなスクロールを行うことで、全体の画像２９を見ることが可能である。なお、後述するようにこのような表示状態から、分割された画面Ａ１、Ａ２、Ｂ１、Ｂ２の一つを選択することで、コンテンツを表示し閲覧することができる。
【００３６】
図４は画像表示装置１に記憶されたコンテンツ用テーブルの一例を示す図である。
【００３７】
図４に示すように、このテーブル３１には、全体の画像上で分割された画像が位置する各エリア（Ａ１、Ａ２、Ｂ１、Ｂ２）３２に対応して、コンテンツＩＤ３３、コンテンツ名３４、コンテンツ属性３５、コンテンツ容量３６がそれぞれテーブル形式で記述されている。コンテンツＩＤ３３とは、コンテンツ毎に付与されるＩＤである。例えばこのコンテンツＩＤ３３を用いてこのコンテンツのアップロード等を行うことができる。コンテンツ名３４とは、コンテンツ毎に付された名前である。コンテンツ属性３５には、例えば後述するようにコンテンツがアップロードされた日時が用いられる。コンテンツ容量とは、コンテンツの情報量である。このようなテーブル３１は、例えば画像表示装置１の販売の時点からＳ−ＲＡＭ１７に記憶されている。ここで、販売時点におけるテーブル３１は空欄であり、後述するようにユーザが画像表示装置１を用いて自己のコンテンツをアップロードする際に、この空欄のテーブル３１に、コンテンツＩＤ等が書き込まれていく。
【００３８】
図５は、画像表示装置１とコンテンツを保管するコンテンツ管理装置５０とがインターネットやイントラネット等のネットワーク５５上に接続されている状態を示している。
【００３９】
コンテンツ管理装置５０には、図３に示したコンテンツ用テーブル３１が記憶されるテーブル記憶部５２、後述するようにユーザがアップロードしたコンテンツを記憶するコンテンツ記憶部５３、コンテンツ用テーブル３１に記憶されたコンテンツＩＤ３３とコンテンツ記憶部５３に記憶されたコンテンツのアドレスとが対応付けて記憶されたコンテンツアドレス記憶部５４及び画像表示装置１との間でネットワーク５５を経由してコンテンツの提供を行うための通信部５１が設けられている。
【００４０】
次に、画像表示装置１に保存されているコンテンツをコンテンツ管理装置５０にアップロードする動作について、図６に示すフローを参照しながら説明する。
【００４１】
画像表示装置１は、例えばユーザが自作等したコンテンツがＳ−ＲＡＭ１７上に記憶されている状態にある。まず画像表示装置１の電源が投入されると、表示部６に初期画面が表示する（ステップ６０１）。図７は、このような初期画面の一例を示す図であり、画面には、例えば「コンテンツのダウンロード」、「コンテンツのアップロード」、「コンテンツの閲覧」等の項目があり、画像表示装置１を上下方に移動させることで、これらの項目のうちの１つを選択できる。また、現在画面上で選択可能な項目はハイライト表示（図７中符号３７）されており、ＯＫボタン１０を押すとハイライト表示された項目が選択されるようになっている。このようなハイライト表示は例えば画面上に固定され、上記のように画面をスクロールさせて項目の方を移動させることでハイライト表示させたい項目を選択することができる。
【００４２】
ここで、画像表示装置１は、当該画像表示装置１が上下に移動されると（ステップ６０２）、この移動に応じて表示部６の画面を例えば上下にスクロールさせる（ステップ６０３）。ユーザにより所望の項目、例えば「コンテンツのアップロード」がハイライト表示され、ＯＫボタン１０が押されると（ステップ６０４）、表示部６に図８に示すようなコンテンツの選択画面を表示する（ステップ６０５）。
【００４３】
ここでも同様に画像表示装置１は、当該画像表示装置１が上下に移動されると（ステップ６０６）、この移動に応じて表示部６の画面を例えば上下にスクロールさせる（ステップ６０７）。ここでの画面は、Ｓ−ＲＡＭ１７上に保存してあるコンテンツの、例えば各コンテンツ名「車の絵」、「汽車の絵」、「飛行機の絵」、「家の絵」が項目として表示されている。そして、ここでユーザによりアップロードしたいコンテンツが指定される（ステップ６０８）。図８では、例えば「飛行機の絵」４６をハイライト表示して、ユーザがＯＫボタン１０を押すことで指定される。
【００４４】
次に、図９に示すように、表示部６には例えば図３で示した４分割のエリア（現時点では空エリアとなっている）が１つの画像として表示する（ステップ６０９）。そして画像表示装置１が移動され（ステップ６１０）、画面を上下左右にスクロールさせて（ステップ６１１）、ユーザにより４つエリアＡ１、Ａ２、Ｂ１、Ｂ２のうち、上記指定した「飛行機の絵」のコンテンツの保管したいエリアを選択される（ステップ６１２）。この選択は、例えば４つ画像Ａ１、Ａ２、Ｂ１、Ｂ２のうち表示画面上で最も大きな面積の画像をハイライト表示させるようにしておき、スクロールにより適宜ハイライト画面を選択し、ＯＫボタン１０でコンテンツを選択すればよい。この段階で、画像表示装置１は図１０に示すように、コンテンツ用テーブル３１のエリアＢ１に、コンテンツＩＤ、コンテンツ名、コンテンツ属性、コンテンツ容量をそれぞれ書き込む。ここで、コンテンツＩＤは、ユーザがコンテンツをＳ−ＲＡＭ１７上に保存した初期段階で自動的に決定され、順にテーブル３１に書き込まれるようにしても構わない。コンテンツ属性は、テーブルに書き込まれた現時点の日付が書き込まれるようになっている。
【００４５】
そして、表示部６に表示される画面は図８に示す画面に戻り、上記ステップ６０８〜ステップ６１２を繰り返して、ユーザによりアップロードしたいコンテンツが指定されテーブル３１が作成されていく。このようにして全てのエリアにコンテンツが割り当てられたテーブルが、図４に示したようなテーブルとなる。また、全てのエリアに割り当てられた４分割画像は、図３に示すような１つの画像２９として表示される。
【００４６】
このように全てのエリアにコンテンツが割り当てられた場合、図１１に示すように、これらのコンテンツを、コンテンツ管理装置５０に保管するか否かの選択画面を表示部６に表示する（ステップ６１３）。そして送信ボタン４８を選択した場合、４つのコンテンツと完成後のコンテンツ用テーブル３１をコンテンツ管理装置５０に送信する。そして、送信しないボタン４９が選択された場合、この４エリアのコンテンツの割り当て状態を、例えばＳ−ＲＡＭ１７上に保存する（ステップ６１４）。また、コンテンツ管理装置５０に送信した場合も、割り当て状態、すなわち完成後のコンテンツ用テーブル３１を画像表示装置１に保存する。従って後述するように、図３に示すコンテンツ関連画像が割り当てられた後の４分割画面２９が、いつでも開くことができるようになる。
【００４７】
コンテンツ管理装置５０は、送信されたコンテンツとコンテンツ用テーブル３１と、それぞれコンテンツ記憶部５３とテーブル記憶部５２とに記憶する。また、上述したように、コンテンツ用テーブルにはコンテンツＩＤが記憶されているので、このコンテンツＩＤとコンテンツのアドレスとの対応を、コンテンツアドレス記憶部５４に記憶する。
【００４８】
以上のようなコンテンツの保管は、画像に限られず、音楽、文書、その他の情報であってもよい。この場合、カテゴリーごとに１つの分割画面を構成させるようにすることができる。
【００４９】
次に、ユーザがコンテンツ管理装置５０に保管した画像を閲覧する場合の動作について、図１２に示すフローを参照しながら説明する。
【００５０】
まず図７に示すように表示部６に初期画面を表示する（ステップ１２０１）。この画面で、装置１が上下に移動されると（ステップ１２０２）、画面をスクロールさせて（ステップ１２０３）、「コンテンツの閲覧」を選択する（ステップ１２０４）。
【００５１】
そうすると、次は、図１３に示すようなメニューの選択画面が表示される（ステップ１２０５）。画面には、例えば「メニュー」、「レストラン」、「デパート」、「映画館」、「音楽」、「地図」、「絵」、「文字入力」等、カテゴリーごとに項目があり、この画面上には表示されていないが、他の項目が更にこの下に存在し、画像表示装置１が下方に移動されることで、ユーザは画面を下方にスクロールして下にある項目も見ることができる。このようなカテゴリーは、ユーザが自由に創作できるようにしてもよいし、デフォルトでいくつかのカテゴリーを記憶しておくようにしてもよい。
【００５２】
そして、装置１が上下に移動されると（ステップ１２０６）、画面をスクロールさせ（ステップ１２０７）、例えば「絵」（図１３中符号５７で示す）が選択される（ステップ１２０８）。
【００５３】
そうすると次に、図３で示した分割画面２９を表示し（ステップ１２０９）、装置１が上下左右に移動されると（ステップ１２１０）、画面をスクロールさせ（ステップ１２１１）、ユーザが例えば「家の絵」を閲覧したい場合は、これを選択する（ステップ１２１２）。
【００５４】
このように、ユーザにより４つの画像に分割されたコンテンツの関連画像Ａ１、Ａ２、Ｂ１、Ｂ２から１つの画像が選択されると、このコンテンツの関連情報に対応するコンテンツＩＤをコンテンツ管理装置５０に送信する（ステップ１２１３）。
【００５５】
このコンテンツＩＤを受信したコンテンツ管理装置５０は、受信したコンテンツＩＤ３３に対応するアドレスをコンテンツアドレス記憶部５４から抽出し、抽出したアドレスにあるコンテンツをコンテンツ記憶部５３から読み出し、読み出したコンテンツをネットワーク５５経由で画像表示装置１に送信し、画像表示装置１がこのコンテンツを受信する（ステップ１２１４）。
【００５６】
コンテンツを受信した画像表示装置１は、例えば図１４に示すように表示部６にコンテンツ４４を表示する。（ステップ１２１５）。ユーザは画像表示装置１を適宜移動させることで、表示部６に表示されたコンテンツ４４の画像４５をスクロールして見ることができる。
【００５７】
以上は、１つのコンテンツを閲覧する場合について説明したが、これに限らず、例えば画像表示装置１がステップ１２０５で、カテゴリーごとのコンテンツを受信するようにすることも可能である。
【００５８】
以上のように、本実施形態では、ユーザが指定したコンテンツに対応するコンテンツ関連画像を分割画面のそれぞれのエリアに割り当て、このコンテンツとこれに対応するコンテンツＩＤをコンテンツ管理装置５０に対し送信することにより、情報量の大きいコンテンツをコンテンツ管理装置５０に保管しておくことができ、画像表示装置１の記憶しておく情報量を少なくすることができるので、操作性を悪化させることがなくなる。しかも表示部６に表示される１つ画像である複数のエリアごとに、コンテンツを割り当てて保管しているので、操作が直感的で簡単になり、また保管状況が一目で把握できる。
【００５９】
また、分割画面２９の各エリアの全てにコンテンツ関連画像が割り当てられたときに、これに対応する複数のコンテンツと識別情報を送信するようにしているので、効率的に操作が行える。さらに１つの分割画面２９をカテゴリーごとに形成してコンテンツと識別情報とをコンテンツ管理装置５０に送信しているので、コンテンツ管理装置５０への接続が１回で複数のコンテンツの保管が可能となり、コンテンツの保管がさらに効率的になり利便性が向上する。
【００６０】
図１５は、本発明の一実施形態に係るコンテンツ保管料の管理システムを示す概念図である。
【００６１】
例えば、画像表示装置１が、上記したようにコンテンツをコンテンツ管理装置５０に送信した場合（ステップ１５０１）、コンテンツ管理装置５０がコンテンツを受信し（ステップ１５０２）保管するが、このとき管理装置５０は、コンテンツと同時に受信したコンテンツ用テーブル３１に記憶されているコンテンツ容量を確認する。本実施形態では、テーブル３１ごと（カテゴリーごと）にコンテンツ保管するので、コンテンツの合計容量を算出する（ステップ１５０３）。そして、管理装置５０はこの算出結果に基づき保管料金を算出し（ステップ１３０４）、これを画像表示装置１に送信する（ステップ１３０５）。保管料は例えばこの算出された容量に比例して高くなるようにすることができる。
【００６２】
画像表示装置１は、この保管料を受信し（ステップ１３０６）、例えば表示部６にその金額を表示する（ステップ１３０７）。ユーザはこの表示された保管料の金額を支払うことになる。
【００６３】
本実施形態において、コンテンツごとの容量に基づき保管料の課金を行うようにすることができるが、例えばこのようにカテゴリーごとにコンテンツの保管料を表示することにより、保管料がカテゴリーごとに把握でき、ユーザはカテゴリー単位で保管料を支払えばよく実用性が増す。また、コンテンツ管理装置５０側の保管料の管理も効率的で容易になる。
【００６４】
以上は、コンテンツの容量に基づいた保管料課金の説明であったが、保管期間に基づいて保管料を課金することも可能である。画像表示装置１からコンテンツが送信されこれを管理装置５０が受信した場合、例えば当該受信の時から日単位、月単位あるいは年単位で保管料を課金することができる。この場合、画像表示装置１がコンテンツとテーブル３１とを送信すると同時に、テーブル３１のコンテンツ属性に記憶されている日時をその送信した日時に変更できるようにしておけばよい。これにより、この変更後のテーブル３１をコンテンツ管理装置５０が受信し、これに基づき保管期間を算出して保管料を決定できる。このように保管期間に基づく課金によれば、ユーザにとって保管料の支払いがよりリーズナブルなものとなる。
【００６５】
さらに、コンテンツの保管期間と情報量とを算出し、この保管期間内のコンテンツの情報量の変動に応じてそのコンテンツの保管料を課金するようにしてもよい。例えば、保管されたコンテンツを管理装置５０から削除できるような機能を画像表示装置に設け、削除までの期間内の保管容量の平均値に基づき保管料を決定できる。あるいは図１６に示すように、例えば保管期間６ヶ月ごとのコンテンツ容量の平均値５８を算出して、この平均値に基づき保管料を決定できる。
【００６６】
本発明は以上説明した実施形態には限定されるものではなく、種々の変形が可能である。
【００６７】
例えば、図３で示したコンテンツを示す画像は４分割としたが、これより画像を多くしてもよいし、少なくしてもよい。このように分割数が多い場合には、スクロール量を少なくするため、各エリアのうち例えば２つ以上のエリアが表示部６に表示されるようにすればよい。そしてこの場合、表示部６の中央にスクロールされたエリアを選択できるようにすることができる。
【００６８】
また、図１１で示した送信ボタン４８を押した後、コンテンツ用テーブル３１のみを送信し、これに基づき管理装置５０が保管料を算出してこれを画像表示装置１に保管料を表示部６に通知した後、ユーザがこの表示された保管料を見てコンテンツを送信するかどうかを決定するようにしてもよい。これにより、ユーザが保管料を確認した後にコンテンツを保管するかどうかの判断を行うことができる。
【００６９】
さらに、図５に示すようにコンテンツ管理装置５０に別のパソコン６０等を接続して、このパソコン６０により保管料の管理等を行えるようにしてもよい。
【００７０】
【発明の効果】
以上説明したように、本発明によれば、情報量の大きいコンテンツを効率良く、簡単な操作で保管して管理することができる。
【図面の簡単な説明】
【図１】本発明の一実施形態に係る画像表示装置の外観を示す斜視図である。
【図２】同実施形態に係る画像表示装置のハードウェア構成を示すブロック図である。
【図３】コンテンツ関連画像を表示した１つの画像の一例を示す図である。
【図４】画像表示装置に記憶されたコンテンツ用テーブルの一例を示す図である。
【図５】画像表示装置とコンテンツ管理装置とのネットワークを示す図である。
【図６】コンテンツの保管動作を示すフロー図である。
【図７】画像表示装置に表示される初期画面の一例を示す図である。
【図８】図７に示す初期画面の次画面の一例を示す図である。
【図９】複数分割画面のうちの保存するエリアを選択する画面の一例を示す図である。
【図１０】コンテンツ用テーブルに所定の事項が書き込まれていく一例を示す図である。
【図１１】コンテンツ保管するか否かの選択画面の一例を示す図である。
【図１２】保管したコンテンツの閲覧動作を示すフロー図である。
【図１３】閲覧動作におけるカテゴリーごとの選択画面の一例を示す図である。
【図１４】画像表示装置に表示されたコンテンツ画像の一例を示す図である。
【図１５】コンテンツ容量に基づいた保管料の管理動作を示すフロー図である。
【図１６】コンテンツの保管期間及びコンテンツ容量に基づく保管料の管理システムを説明するためのグラフである。
【符号の説明】
１…画像表示装置
２…筐体
６…表示部
１５…ＣＰＵ
１６…ＲＯＭ
１７…ＲＡＭ
２７…位置検出センサ
２９…１つの画像を構成する複数の領域
３１…コンテンツ用テーブル
３３…コンテンツＩＤ
４４…コンテンツ
５０…コンテンツ管理装置
【図１】
0003945295.tif 000002
【図２】
0003945295.tif 000003
【図３】
0003945295.tif 000004
【図４】
0003945295.tif 000005
【図５】
0003945295.tif 000006
【図６】
0003945295.tif 000007
【図７】
0003945295.tif 000008
【図８】
0003945295.tif 000009
【図９】
0003945295.tif 000010
【図１０】
0003945295.tif 000011
【図１１】
0003945295.tif 000012
【図１２】
0003945295.tif 000013
【図１３】
0003945295.tif 000014
【図１４】
0003945295.tif 000015
【図１５】
0003945295.tif 000016
【図１６】
0003945295.tif 000017